(57)【要約】【課題】異常感知器を取り外すことなく、異常感知器用通信装置を容易に取り付け及び取り外しできる無線装置を提供する。【解決手段】異常を感知して異常信号を通信端子２に出力する火災報知器１と、該火災報知器１の通信端子２から通信端子６に入力される異常信号を上位端末に無線送信する通信装置５とを備えた無線装置であって、火災報知器１に通信装置５を収納するための通信装置収納部１３を設け、通信装置５を通信装置収納部１３に挿入したとき、火災報知器１の通信端子２と通信装置５の通信端子６とが接続されると共に通信装置５が火災報知器１に取り付けられる。【選択図】図１
2006331097.tif 000002
【特許請求の範囲】
【請求項１】
異常を感知して異常信号を第１端子に出力する異常感知器と、該異常感知器の第１端子から第２端子に入力される異常信号を上位端末に無線送信する通信装置とを備えた無線装置であって、
前記異常感知器と前記通信装置との一方に、前記異常感知器と前記通信装置との他方を収納するための収納部を設け、前記他方を前記収納部に挿入したとき、前記第１端子と前記第２端子とが接続されると共に前記他方が前記一方に取り付けられることを特徴とする無線装置。
【請求項２】
前記異常感知器は、前記収納部として側面部に形成され且つ前記通信装置を収納する通信装置収納部を有し、前記異常感知器の側面部に対して略垂直方向から前記通信装置を前記通信装置収納部に挿入したとき、前記第１端子と前記第２端子とが接続されると共に前記通信装置が前記異常感知器に取り付けられることを特徴とする請求項１記載の無線装置。
【請求項３】
前記異常感知器は、前記収納部として側面部から正面部に亙って形成され且つ前記通信装置を収納する通信装置収納部を有し、前記異常感知器の正面方向から前記通信装置を前記通信装置収納部に挿入したとき、前記第１端子と前記第２端子とが接続されると共に前記通信装置が前記異常感知器に取り付けられることを特徴とする請求項１記載の無線装置。
【請求項４】
前記通信装置は、前記収納部として前記異常感知器を収納する異常感知器収納部を有し、前記異常感知器を前記異常感知器収納部に挿入したとき、前記第１端子と前記第２端子とが接続されると共に前記異常感知器が前記通信装置に取り付けられることを特徴とする請求項１記載の無線装置。
【請求項５】
前記異常感知器及び前記通信装置の前記異常感知器収納部の各々は、円筒体又は円柱体からなり、前記異常感知器を前記異常感知器収納部に挿入した後に回転したとき、前記異常感知器の係合部と前記異常感知器収納部の係合部とが係合し、前記第１端子と前記第２通信端子とが接続されると共に前記異常感知器が前記通信装置に取り付けられることを特徴とする請求項４記載の無線装置。
【請求項６】
異常を感知して異常信号を第１端子に出力する異常感知器と、該異常感知器の第１端子から第２端子に入力される異常信号を上位端末に無線送信する通信装置とを備えた無線装置であって、
前記異常感知器の側面に第１嵌合部を設け、前記通信装置の側面に前記第１嵌合部と嵌合する第２嵌合部を設け、前記第１嵌合部と前記第２嵌合部とを前記側面に対して平行にスライドすることにより、前記異常感知器の第１端子と前記通信装置の第２端子とが接続されると共に前記通信装置が前記異常感知器に取り付けられることを特徴とする無線装置。
【請求項７】
異常を感知して異常信号を第１端子に出力する異常感知器と、該異常感知器の第１端子から第２端子に入力される異常信号を上位端末に無線送信する通信装置とを備えた無線装置であって、
前記異常感知器と前記通信装置との両方を取り付けられる固定具を設け、前記異常感知器及び前記通信装置の各々は、前記固定具に係合しながらスライドするためのスライド溝部を有し、前記異常感知器及び前記通信装置の前記スライド溝部を前記固定具に係合させながら前記異常感知器及び前記通信装置をスライドさせることにより、前記異常感知器の第１端子と前記通信装置の第２端子とが接続されると共に前記通信装置及び前記異常感知器が前記固定具に取り付けられることを特徴とする無線装置。
【請求項８】
異常を感知して異常信号を第１端子に出力する異常感知器と、該異常感知器の第１端子から第２端子に入力される異常信号を上位端末に無線送信する通信装置とを備えた無線装置であって、
前記異常感知器と前記通信装置との両方を取り付けられる固定具を設け、前記固定具は、前記異常感知器を収納する異常感知器収納部と、前記通信装置を収納する通信装置収納部とを有し、前記異常感知器を前記異常感知器収納部に収納し、前記通信装置を前記通信装置収納部に収納したとき、前記異常感知器の第１端子と前記通信装置の第２端子とが接続されると共に前記通信装置及び前記異常感知器が前記固定具に取り付けられることを特徴とする無線装置。
【請求項９】
前記異常感知器に取り付けられた第１固定具と、取付部材に取り付けられた第２固定具と、前記第１固定具と前記第２固定具とを連結すると共に回転可能とする回転軸とを有することを特徴とする請求項１乃至請求項６のいずれか１項記載の無線装置。
【請求項１０】
取付部材に取り付けられた第２固定具と、前記固定具と前記第２固定具とを連結すると共に回転可能とする回転軸とを有することを特徴とする請求項７又は請求項８記載の無線装置。
【発明の詳細な説明】
【技術分野】
【０００１】
本発明は、火災センサや人感センサなどのセキュリティセンサ等からの異常信号を通信装置により上位端末に無線送信する無線装置に関する。
【背景技術】
【０００２】
火災センサ等の異常感知器で感知した異常信号を異常感知器用通信装置により上位端末に無線送信する無線装置が従来より知られている。この無線装置は、取り付け固定具、異常感知器と、異常感知器用通信装置とを備え、天井等に設置されたベースに着脱自在に取り付けられる。このような無線装置は、天井や壁等の取り付け面（ベース）に対して、取り付け固定具、異常感知器用通信装置、異常感知器の順番に取り付けられる。
【０００３】
図２３は従来の異常感知器及び無線送信手段を備えた無線送信器の構成図である。図２３において、無線送信器１０１は、天井等に設置されたベース１０４に着脱可能に取り付けられる本体１０２と、この本体１０２内に収容された電子部材に電源を供給する電池１０５と、異常の発生を検出する異常検出手段１０８（異常感知器に対応）と、異常検出手段１０８で検出した異常信号をアンテナを介して外部に送信する無線送信手段１０７（異常感知器用通信装置に対応）とを備えた無線送信器であって、無線送信手段１０７から導出した線状のアンテナを本体における周壁の内側に懸回させたものである。
【特許文献１】特開２００２−２１６２６１号公報
【発明の開示】
【発明が解決しようとする課題】
【０００４】
このように、従来の無線装置や図２３に示す無線送信器の構造にあっては、天井等に異常感知器のみを取り付ける場合には、取り付け面に対して、取り付け固定具、異常感知器の順番に取り付け、後から異常感知器用通信装置を取り付ける場合には、一度、天井や壁等から異常感知器を取り外さなければならなかった。
【０００５】
また、異常感知器用通信装置が故障又は電池切れした場合にも、天井や壁等から異常感知器を含めて取り外さなければならなかった。また、異常感知器用通信装置は、多少の位置関係によって感度が異なるため、一度、天井等に取り付けた状態において通信確認を行い、感度が不十分である場合には、異常感知器用通信装置の設置位置を移動させる必要があった。
【０００６】
本発明の課題は、異常感知器を取り外すことなく、異常感知器用通信装置を容易に取り付け及び取り外しでき、また、異常感知器用通信装置の感度を向上させることができる無線装置を提供することにある。
【課題を解決するための手段】
【０００７】
上記課題を解決するために、本発明に係る無線装置は、異常を感知して異常信号を第１端子に出力する異常感知器と、該異常感知器の第１端子から第２端子に入力される異常信号を上位端末に無線送信する通信装置とを備えた無線装置であって、前記異常感知器と前記通信装置との一方に、前記異常感知器と前記通信装置との他方を収納するための収納部を設け、前記他方を前記収納部に挿入したとき、前記第１端子と前記第２端子とが接続されると共に前記他方が前記一方に取り付けられることを特徴とする。
【発明の効果】
【０００８】
本発明に係る無線装置によれば、異常感知器と通信装置との一方（例えば異常感知器）に、異常感知器と通信装置との他方（例えば通信装置）を収納するための収納部を設け、他方を収納部に挿入したとき、第１端子と第２端子とが接続されて異常信号が受信できると共に他方が一方に取り付けられる。従って、天井等から異常感知器を取り外すことなく、通信装置を容易に取り付け及び取り外しできる。
【発明を実施するための最良の形態】
【０００９】
以下、本発明の無線装置の実施例を図面を参照しながら詳細に説明する。
【実施例１】
【００１０】
図１は本発明の実施例１に係る無線装置の組立前の斜視図である。図２は本発明の実施例１に係る無線装置の組立後の斜視図である。図１において、火災報知器１は、本発明の異常感知器に対応し、略直方体をなし、火災センサを有し、異常が発生したときに火災センサで検出した異常信号を通信端子２に出力するとともに内部のブザー等を鳴動させて周囲に報知する。この火災報知器１の上面部１２ｂには固定具３が形成され、この固定具３の両端部には、図示しない天井や壁等にネジ止めするためのネジ４ａ，４ｂが設けられている。火災報知器１の下面部１２ｃには火災センサを覆う報知器ガード１１が設けられている。
【００１１】
火災報知器１の側面部１２ｄ（正面部１２ａに対して例えば右側面部）には、通信装置５を収納するための通信装置収納部１３が設けられている。この通信装置収納部１３のスペースは、略直方体状の通信装置５の大きさに対応する。
【００１２】
通信装置５は、火災報知器１の通信端子２から送られてくる異常信号を受信し、図示しない上位端末に無線送信するもので、火災報知器１の通信端子２に接続されるための通信端子６が設けられている。
【００１３】
以上のように構成された無線装置によれば、火災報知器１の側面部１２ｄに対して略垂直方向から通信装置５を火災報知器１の通信装置収納部１３に挿入すると、通信装置５の通信端子６が火災報知器１の通信端子２に接続されるので、火災報知器１からの異常信号を通信装置５が受信できるようになる。また、予め、火災報知器１が天井や壁等に固定具３を介してネジ４ａ，４ｂで取り付けられた場合には、火災報知器１を天井や壁等から取り外さずに通信装置５を取り付けできる。
【００１４】
また、通信装置５が故障又は電池切れした場合等には、火災報知器１を天井や壁等から取り外さずに通信装置５だけを取り外すことができる。また、通信装置５を火災報知器１に挿入するのみで通信端子２，６の接続が行えるので、通信に関する接続作業は不要となる。従って、天井等から火災報知器１を取り外すことなく、通信装置５を容易に取り付け及び取り外しでき、通信端子２，６の接続作業が不要となるため、作業性が向上する。
【００１５】
（実施例１の変形例）  
図３は本発明の実施例１に係る無線装置の変形例の組立前の斜視図である。図４は本発明の実施例１に係る無線装置の変形例の組立後の斜視図である。図３において、火災報知器１ａは、縦長に構成されており、上面部１２ｂには固定具３が形成され、この固定具３の両端部には、図示しない天井や壁等にネジ止めするためのネジ４ａ，４ｂが設けられている。火災報知器１ａの下面部１２ｃには報知器ガード１１が設けられている。
【００１６】
火災報知器１ａの側面部１２ｄには、通信装置５ａを収納するための通信装置収納部１３ａが設けられている。この通信装置収納部１３ａのスペースは、略直方体状で縦長の通信装置５ａの大きさに対応する。
【００１７】
通信装置５ａには、火災報知器１ａの通信端子２ａに接続される通信端子６ａが設けられているとともに、通信装置５ａの左右側面部には、先端に爪部５２ａ，５２ｂを有する腕部５１ａ，５１ｂが形成されている。
【００１８】
火災報知器１ａの正面部１２ａと背面部との各々には、溝部１５ａ，１５ｂを有する突起部１４ａ，１４ｂが形成されており、溝部１５ａ，１５ｂには、通信装置５ａの腕部５１ａ，５１ｂ及び爪部５２ａ，５２ｂが挿通可能となっている。
【００１９】
以上のように構成された無線装置によれば、火災報知器１ａの側面部１２ｄに対して略垂直方向から通信装置５ａを火災報知器１ａの通信装置収納部１３ａに挿入すると、通信装置５ａの通信端子６ａが火災報知器１ａの通信端子２ａに接続されるので、火災報知器１ａからの異常信号を通信装置５ａが受信できるようになる。
【００２０】
また、火災報知器１ａの溝部１５ａ，１５ｂには、通信装置５ａの腕部５１ａ，５１ｂ及び爪部５２ａ，５２ｂが挿通されて、爪部５２ａ，５２ｂが突起部１４ａ，１４ｂに引っ掛かるので、通信装置５ａが火災報知器１ａに容易に取り付けできる。従って、天井等から火災報知器１ａを取り外すことなく、通信装置５ａを容易に取り付け及び取り外しでき、通信端子２ａ，６ａの接続作業が不要となるため、作業性が向上する。
【実施例２】
【００２１】
図５は本発明の実施例２に係る無線装置の組立前の斜視図である。図６は本発明の実施例２に係る無線装置の組立後の斜視図である。図５において、火災報知器１ｂは、略直方体をなし、この火災報知器１ｂの左側面部には天井や壁に取り付けるための固定具３が形成されている。火災報知器１ｂの正面部１２ａには報知器ガード１１が設けられている。
【００２２】
火災報知器１ｂには、正面部１２ａの中央右側から右側面部に亙って、三角形状に切り欠かれた切欠部１６が形成されている。この切欠部１６の大きさは、通信装置５ｂに形成された三角部５５ａ，５５ｂの大きさに対応する。また、切欠部１６を含めて火災報知器内部には、通信装置５ｂを収納するための通信装置収納部１３ｂが設けられている。火災報知器１ｂには、背面部に通信端子２ａが設けられ、上面部及び下面部には通信装置５ｂの爪部５４ａ，５４ｂが引っ掛かるための溝部１５ａ，１５ｂが形成されている。また、火災報知器１ｂの切欠部１６上で且つ右側面部には、通信装置５ｂを引っ掛けるための引掛部１７が形成されている。
【００２３】
通信装置５ｂは、略直方体をなし、火災報知器１ｂの略半分の大きさである。通信装置５ｂは、通信装置収納部１３ｂに収納可能な本体部５０ａと、火災報知器１ｂの切欠部１６に対応して形成された三角形状の三角部５５ａ，５５ｂとを有している。本体部５０ａには、段部５６ａ，５６ｂが形成され、この段部５６ａ，５６ｂには爪部５４ａ，５４ｂを有する腕部５３ａ，５３ｂが形成されている。また、通信装置５ｂには、火災報知器１ｂの通信端子２ｂに接続される通信端子６ｂが設けられており、この通信端子６ｂは収納部５７内に形成されている。
【００２４】
以上のように構成された無線装置によれば、火災報知器１ｂの正面方向（正面部１２ａの方向）から通信装置５ｂを火災報知器１ｂの通信装置収納部１３ｂに挿入すると、通信装置５ｂの本体部５０ａが通信装置収納部１３ｂに収納され、通信装置５ｂの三角部５５ａ，５５ｂが火災報知器１ｂの切欠部１６に当接し、爪部５４ａ，５４ｂが溝部１５ａ，１５ｂに引っ掛かり、通信装置５ｂの通信端子６ｂが火災報知器１ｂの通信端子２ｂに接続されるので、火災報知器１ｂからの異常信号を通信装置５ｂが受信できるようになる。
【００２５】
また、予め、火災報知器１ｂが天井や壁等に固定具３を介してネジ４ａ，４ｂで取り付けられた場合には、火災報知器１ｂを天井や壁等から取り外さずに通信装置５を正面方向から目視で容易に確認しながら、取り付け及び取り外しが容易にでき、作業性が向上する。
【実施例３】
【００２６】
図７は本発明の実施例３に係る無線装置の組立前の斜視図である。図８は本発明の実施例３に係る無線装置の組立後の斜視図である。図７において、火災報知器１ｃは、略直方体をなし、この火災報知器１ｃの上面部には固定具３が形成されている。火災報知器１ｃの正面部１２ａには報知器ガード１１が設けられている。
【００２７】
火災報知器１ｃの上面部及び下面部には、爪部１９ｂを有する腕部１９ａが形成され、この腕部１９ａ及び爪部１９ｂの端部には切欠部１８が形成されている。
【００２８】
通信装置５ｃは、略直方体をなし、火災報知器１ｃの約２倍の大きさを有し、火災報知器１ｃを収納する火災報知器収納部５８が設けられている。この火災報知器収納部５８には、火災報知器１ｃの爪部１９ａ，１９ｂに対応した位置に切欠部５９ａ，５９ｂが形成されている。また、火災報知器収納部５８の右側面部には、火災報知器１ｃの図示しない通信端子２ｃに接続されるための通信端子６ｃが設けられている。
【００２９】
以上のように構成された無線装置によれば、火災報知器１ｃを正面方向から通信装置５ｃの火災報知器収納部５８に挿入すると、爪部１９ａ，１９ｂが切欠部５９ａ，５９ｂに引っ掛かり、通信装置５ｃの通信端子６ｃが火災報知器１ｃの通信端子２ｃに接続されるので、火災報知器１ｃからの異常信号を通信装置５ｃが受信できるようになる。
【００３０】
また、予め、火災報知器１ｃが天井や壁等に固定具３を介してネジ４ａ，４ｂで取り付けられた場合には、火災報知器１ｃを天井や壁等から取り外さずに通信装置５ｃを正面方向から目視で容易に確認しながら、取り付け及び取り外しが容易にでき、作業性が向上する。また、実施例１の無線装置と比較して、縦長にすることなく、設置面積を減らすことができ、美観が損なわなくなる。
【実施例４】
【００３１】
図９は本発明の実施例４に係る無線装置の組立前の斜視図である。図１０は本発明の実施例４に係る無線装置の組立中の斜視図である。図１１は本発明の実施例４に係る無線装置の組立後の斜視図である。図９において、火災報知器１ｄは、略円筒体をなし、この火災報知器１ｄの上面部には固定具３が形成され、この固定具３にはネジ４ａ，４ｂが設けられている。なお、火災報知器１ｄは、円柱体であっても良い。
【００３２】
火災報知器１ｄの円筒周面で且つ上面部近傍には、周方向に一定間隔毎に凸部２０（本発明の火災報知器の係合部に対応）が形成されている。また、火災報知器１ｄの円筒周面で且つ筒方向の略中央部には、周方向に一周した電極からなる通信端子２ｄが形成されている。
【００３３】
通信装置５ｄは、火災報知器１ｄを収納する円筒状の火災報知器収納部５８ａが設けられている。この火災報知器収納部５８ａの上端部には、火災報知器１ｄの凸部２０と対向して凸部２０と嵌合する凹部６０が形成され、凹部６０と凹部６０との間には凸部６０ａ（本発明の通信装置の係合部に対応）が形成されている。
【００３４】
火災報知器収納部５８ａの外径（凸部６０ａまでの外径）は、火災報知器１ｄの外径（凸部２０がない場合）と略同一である。また、火災報知器収納部５８ａの右側面部には、火災報知器１ｄの通信端子２ｄに接続されるための通信端子６ｄが設けられている。
【００３５】
以上のように構成された無線装置によれば、火災報知器１ｄを正面方向から通信装置５ｄの火災報知器収納部５８ａに挿入すると、火災報知器１ｄの凸部２０と通信装置５ｄの凹部６０とが嵌合して、図１０に示す状態となる。次に、図１１に示すように、通信装置５ｄを反時計方向に一定角度だけ回転することにより、火災報知器収納部５８ａの凸部６０ａが火災報知器１ｄの凸部２０の位置に移動し、凸部２０と凸部６０ａとが係合するため、通信装置５ｄが固定される。また、通信装置５ｄの通信端子６ｄが火災報知器１ｄの通信端子２ｄに接続されるので、火災報知器１ｄからの異常信号を通信装置５ｄが受信できるようになる。
【００３６】
また、予め、火災報知器１ｄが天井や壁等に固定具３を介してネジ４ａ，４ｂで取り付けられた場合には、実施例３の無線装置に比較して、容易に取り外しができなくなり、いたずら等による取り外し防止対策となる。また、通信装置５ｄの通信端子６ｄ、あるいは火災報知器１ｄの通信端子２ｄを円周上に配置することにより、通信装置５ｄをどこから挿入しても、取り付けられるようになり、通信装置５ｄの送受信感度が不十分である場合に、通信装置５ｄの設置位置をずらすことによって、通信装置５ｄの送受信感度を向上させることができる。
【実施例５】
【００３７】
図１２は本発明の実施例５に係る無線装置の組立前の斜視図である。図１３は本発明の実施例５に係る無線装置の組立後の斜視図である。図１４は本発明の実施例５に係る異常感知器用通信装置の断面図である。図１２において、火災報知器１ｅは、略直方体をなし、この火災報知器１ｅの上面部には固定具３が形成され、この固定具３にはネジ４ａ，４ｂが設けられている。
【００３８】
火災報知器１ｅの右側面部には、通信装置５ｅと嵌合するための嵌合部２１が形成されている。この嵌合部２１は、火災報知器１ｅの右側面部の上端と下端とに形成された段部２１ａと、段部２１ａ間が切欠かれた切欠部２１ｂとを有している。火災報知器１ｅの右側面部には、通信端子２ｅが設けられている。
【００３９】
通信装置５ｅは、略直方体をなし、左側面部に、火災報知器１ｅの嵌合部２１と嵌合する平板状の嵌合部６１が形成されており、この嵌合部６１の右側面には、切欠部６２が形成され、嵌合部６１の左側面には通信端子６ｅが設けられている。
【００４０】
以上のように構成された無線装置によれば、通信装置５ｅの嵌合部６１を火災報知器１ｅの嵌合部２１に嵌合させながら、嵌合部同士を側面に対して平行にスライドさせると、図１３に示す状態となり、通信装置５ｅが固定される。また、通信装置５ｅの通信端子６ｅが火災報知器１ｅの通信端子２ｅに接続されるので、火災報知器１ｅからの異常信号を通信装置５ｅが受信できるようになる。
【００４１】
また、実施例４の無線装置に比較して、通信装置５ｅの体積を減らすことができ、通信装置５ｅの取り付け及び取り外しが容易になり、作業性が向上する。また、通信装置５ｅ及び火災報知器１ｅを小さくできるため、輸送コストを低減できる。
【実施例６】
【００４２】
図１５は本発明の実施例６に係る無線装置の組立前の斜視図である。図１６は本発明の実施例６に係る無線装置の組立前の斜視図である。図１７は本発明の実施例６に係る無線装置の組立後の斜視図である。図１５において、ネジ４ａ，４ｂが取り付けられた固定具３ｆは、一方向に長く伸びており、この長さは、火災報知器１ｆの長さと通信装置５ｆの長さとの和に略等しい。
【００４３】
火災報知器１ｆは、略直方体をなし、この火災報知器１ｆの右側面部には通信装置５ｆの突起部６４を収納する収納部２２が形成され、この収納部２２には通信端子２が設けられている。また、火災報知器１ｆの上面部には、固定具３ｆに係合しながら火災報知器１ｆをスライドさせるためのレール状のスライド溝部２３が形成されている。
【００４４】
通信装置５ｆは、略直方体をなし、左側面部に突起部６４が形成されており、この突起部６４には図示しない通信端子６が設けられている。通信装置５ｆの上面部には、固定具３ｆに係合しながら通信装置５ｆをスライドさせるためのレール状のスライド溝部６３が形成されている。
【００４５】
以上のように構成された無線装置によれば、図１５及び図１６に示すように、固定具３ｆの側面に対して垂直方向から、火災報知器１ｆのスライド溝部２３を固定具３ｆに係合させながら火災報知器１ｆをスライドさせて固定具３ｆに固定し、通信装置５ｆのスライド溝部６３を固定具３ｆに係合させながら通信装置５ｆをスライドさせて固定具３ｆに固定する。すると、図１７に示す状態となり、通信装置５ｆの通信端子６が火災報知器１ｆの通信端子２に接続されるので、火災報知器１ｆからの異常信号を通信装置５ｆが受信できるようになる。
【００４６】
また、実施例１乃至実施例４の無線装置に比較して、火災報知器１ｆが故障又は電池切れした場合等において、通信装置５ｆを天井や壁等から取り外さずに火災報知器１ｆだけを取り外すことができ、火災報知器１ｆの交換作業が容易になる。
【００４７】
なお、固定具３ｆの長手方向の長さは、例えば火災報知器１ｆの長手方向の長さ程度であってもよい。この場合には、固定具３ｆの全長の半分程度に火災報知器１ｆを取り付け、固定具３ｆの全長の残り半分程度に通信装置５ｆを取り付けても良い。
【実施例７】
【００４８】
図１８は本発明の実施例７に係る無線装置の組立前の斜視図である。図１９は本発明の実施例７に係る無線装置の組立前の斜視図である。図２０は本発明の実施例７に係る無線装置の組立後の斜視図である。図１８において、固定具３ｇは、火災報知器１ｇと通信装置５ｇとの両方を取り付けられるようになっていて、固定具３ｇの正面左側に火災報知器１ｇを収納する収納部３２が設けられ、固定具３ｇの正面右側に通信装置５ｇを収納する収納部３１が設けられている。
【００４９】
収納部３１には、上部に爪部３４ａが設けられ下部に爪部３４ｂが設けられている。収納部３２には、上部に爪部３３ａが設けられ下部に爪部３３ｂが設けられている。収納部３１には通信端子２が設けられ、収納部３２には通信端子６が設けられている。
【００５０】
火災報知器１ｇの正面には報知器ガード１１が設けられ、火災報知器１ｇの上面部には、爪部３３ａが引っ掛かるための溝部３８ａを有する突起部３７ａが形成されている。火災報知器１ｇの下面部には、爪部３３ｂが引っ掛かるための溝部３８ｂを有する突起部３７ｂが形成されている。
【００５１】
通信装置５ｇの上面部には、爪部３４ａが引っ掛かるための溝部３６ａを有する突起部３５ａが形成されている。通信装置５ｇの下面部には、爪部３４ｂが引っ掛かるための溝部３６ｂを有する突起部３５ｂが形成されている。
【００５２】
以上のように構成された無線装置によれば、図１８及び図１９に示すように、固定具３ｇの正面方向から、火災報知器１ｇを収納部３２に収納すると、爪部３３ａが溝部３８ａを挿通して突起部３７ａに引っ掛かり、爪部３３ｂが溝部３８ｂを挿通して突起部３７ｂに引っ掛かり、固定具３ｇに火災報知器１ｇが固定される。
【００５３】
固定具３ｇの正面方向から、通信装置５ｇを収納部３１に収納すると、爪部３４ａが溝部３６ａを挿通して突起部３５ａに引っ掛かり、爪部３４ｂが溝部３６ｂを挿通して突起部３５ｂに引っ掛かり、固定具３ｇに通信装置５ｇが固定される。また、実施例６の無線装置に比較して、火災報知器１ｇと通信装置５ｇとを正面方向から目視で容易に確認しながら、取り付け及び取り外しが容易にでき、作業性が向上する。
【実施例８】
【００５４】
図２１は本発明の実施例８に係る無線装置の回転前の斜視図である。図２２は本発明の実施例８に係る無線装置の回転後の斜視図である。図２１において、火災報知器１ｈと通信装置５ｈとが連結され、火災報知器１ｈの上面部には、固定具３が取り付けられている。また、ネジ４ａ，４ｂが取り付けられた固定具７が設けられており、この固定具７は、ネジ４ａ，４ｂにより天井又は壁等に取り付けられるようになっている。
【００５５】
固定具７と固定具３とは軸８に連結され、この軸８を中心に固定具７及び固定具３が回転可能に構成されている。
【００５６】
以上のように構成された無線装置によれば、図２１に示すように、火災報知器１ｈと通信装置５ｈとが固定具３、軸８、固定具７を介して図示しない天井等に取り付けられている。この状態では、固定具３と固定具７とが交差して配置されている。次に、図２２に示すように、軸８を中心として、固定具３と火災報知器１ｈと通信装置５ｈとを時計方向に回転させる。
【００５７】
即ち、一度、火災報知器１ｈと通信装置５ｈとを取り付けた状態（図２１の状態）において、通信装置５ｈにおいて通信確認を行い、通信装置５ｈの送受信感度が不十分であった場合に、固定具３と火災報知器１ｈと通信装置５ｈとを回転することにより、通信装置５ｈの設置位置を移動させて、通信装置５ｈの送受信感度を向上させることができる。
【００５８】
なお、図２１及び図２２に示す実施例８の無線装置では、図１２乃至図１４に示す実施例５の無線装置に対して、固定具７と軸８とを追加した例であるが、例えば、実施例８の無線装置の固定具７と軸８とを、実施例１乃至実施例４、実施例６、実施例７の無線装置のいずれかに追加して、軸８により固定具７と固定具３とを連結し且つ回転可能とすれば、実施例８の無線装置の効果と同様な効果が得られる。
【００５９】
また、実施例１乃至実施例８では、異常感知器として、火災報知器を例示したが、これに限定されることなく、例えば、人感センサ、ガス漏れセンサ、漏電センサなどであっても良い。
【産業上の利用可能性】
【００６０】
本発明の無線装置は、異常感知器で異常を感知して異常信号を通信装置により無線送信して、他の異常感知器に通知する異常感知システムに適用可能である。
【図面の簡単な説明】
【００６１】
【図１】本発明の実施例１に係る無線装置の組立前の斜視図である。
【図２】本発明の実施例１に係る無線装置の組立後の斜視図である。
【図３】本発明の実施例１に係る無線装置の変形例の組立前の斜視図である。
【図４】本発明の実施例１に係る無線装置の変形例の組立後の斜視図である。
【図５】本発明の実施例２に係る無線装置の組立前の斜視図である。
【図６】本発明の実施例２に係る無線装置の組立後の斜視図である。
【図７】本発明の実施例３に係る無線装置の組立前の斜視図である。
【図８】本発明の実施例３に係る無線装置の組立後の斜視図である。
【図９】本発明の実施例４に係る無線装置の組立前の斜視図である。
【図１０】本発明の実施例４に係る無線装置の組立中の斜視図である。
【図１１】本発明の実施例４に係る無線装置の組立後の斜視図である。
【図１２】本発明の実施例５に係る無線装置の組立前の斜視図である。
【図１３】本発明の実施例５に係る無線装置の組立後の斜視図である。
【図１４】本発明の実施例５に係る無線装置の断面図である。
【図１５】本発明の実施例６に係る無線装置の組立前の斜視図である。
【図１６】本発明の実施例６に係る無線装置の組立前の斜視図である。
【図１７】本発明の実施例６に係る無線装置の組立後の斜視図である。
【図１８】本発明の実施例７に係る無線装置の組立前の斜視図である。
【図１９】本発明の実施例７に係る無線装置の組立前の斜視図である。
【図２０】本発明の実施例７に係る無線装置の組立後の斜視図である。
【図２１】本発明の実施例８に係る無線装置の回転前の斜視図である。
【図２２】本発明の実施例８に係る無線装置の回転後の斜視図である。
【図２３】従来の異常感知器及び無線送信手段を備えた無線送信器の構成図である。
【符号の説明】
【００６２】
１，１ａ〜１ｈ  火災報知器
２，２ａ〜２ｈ  通信端子
３，３ａ〜３ｇ，７  固定具
４ａ，４ｂ  ネジ
５，５ａ〜５ｈ  通信装置
６，６ａ〜６ｅ  通信端子
８  軸
１１  報知器ガード
１３，１３ａ  通信装置収納部
１４ａ，１４ｂ，３５ａ，３５ｂ，３７ａ，３７ｂ，６４  突起部
１５ａ，１５ｂ，３６ａ，３６ｂ，３８ａ，３８ｂ  溝部
１６，１８，５９ａ，５９ｂ，６２  切欠部
１７  引掛部
２０  凸部
２１，６１  嵌合部
２３，６３  スライド溝部
５０  正面部
１９ａ，５１ａ，５１ｂ，５３ａ，５３ｂ  腕部
１９ｂ，３３ａ，３３ｂ，３４ａ，３４ｂ，５２ａ，５２ｂ，５４ａ，５４ｂ  爪部
５５ａ，５５ｂ  三角部
２２，３１，３２，５７  収納部
５８  火災報知器収納部
６０  凹部
【図１】
2006331097.tif 000003
【図２】
2006331097.tif 000004
【図３】
2006331097.tif 000005
【図４】
2006331097.tif 000006
【図５】
2006331097.tif 000007
【図６】
2006331097.tif 000008
【図７】
2006331097.tif 000009
【図８】
2006331097.tif 000010
【図９】
2006331097.tif 000011
【図１０】
2006331097.tif 000012
【図１１】
2006331097.tif 000013
【図１２】
2006331097.tif 000014
【図１３】
2006331097.tif 000015
【図１４】
2006331097.tif 000016
【図１５】
2006331097.tif 000017
【図１６】
2006331097.tif 000018
【図１７】
2006331097.tif 000019
【図１８】
2006331097.tif 000020
【図１９】
2006331097.tif 000021
【図２０】
2006331097.tif 000022
【図２１】
2006331097.tif 000023
【図２２】
2006331097.tif 000024
【図２３】
2006331097.tif 000025